(57)【要約】【課題】巻き芯が無くてもロール状の記録媒体を保持することができるホルダ及びこのホルダを有する記録装置を提供すること。【解決手段】巻回された記録媒体ＲＲのみを回転自在に保持するホルダ１０に、巻回された記録媒体の終端を挟持する挟持手段２５、２６を備える。これにより、従来必要であったロール状の記録媒体の巻き芯を不用とすることができるので、省資源化及び低コスト化を図ることができるとともに、巻き芯分の記録媒体を増加させたロール状の記録媒体を提供することができる。【選択図】　　　図４
2004059284.tif 000002
【特許請求の範囲】
【請求項１】
巻回された記録媒体のみを回転自在に保持するホルダであって、
巻回された前記記録媒体の終端を挟持する挟持手段を備えたことを特徴とする記録媒体のホルダ。
【請求項２】
巻回された記録媒体の内周部に挿入され、当該記録媒体の内周面を保持する軸芯と、
前記軸芯を回転自在に支持するカバーとを備えた記録媒体のホルダであって、
巻回された前記記録媒体の終端を挟持する挟持手段が前記軸芯に配設されていることを特徴とする記録媒体のホルダ。
【請求項３】
前記挟持手段は、略中央部を支点として揺動する揺動部材と、この揺動部材を一方の揺動方向へ付勢する付勢手段とを備え、前記付勢手段により付勢された前記揺動部材により、巻回された前記記録媒体の終端を挟持することを特徴とする請求項１または２に記載の記録媒体のホルダ。
【請求項４】
請求項１〜３の何れか一項に記載の記録媒体のホルダを備えたことを特徴とする記録装置。
【発明の詳細な説明】
【０００１】
【発明の属する技術分野】
本発明は、ロール状の記録媒体を保持するホルダ及びそのホルダを有する記録装置に関する。
【０００２】
【従来の技術】
記録装置では、記録する用紙としていわゆるカット紙とロール紙が主に用いられている。例えばカット紙を用いる場合、カット紙は、ホッパーに一旦積層され保持された後、最上層のカット紙から順に給紙部により搬送部へ給紙される。そして、そのカット紙は、搬送部により記録部へ搬送され、記録部により印刷された後、搬送部により排出部へ搬送され排出される。
【０００３】
また、ロール紙を用いる場合、ロール紙は、ロール紙ホルダから給紙部を介して搬送部へ引き出された後、搬送部により記録部へ搬送され、記録部により印刷される。そして、ロール紙は、搬送部により切断部へ搬送された後、切断部により記録が完了した部分が所定長さに切断され、搬送部により排出部へ搬送され排出される。
【０００４】
このロール紙は、紙管で成る巻き芯の周面に巻回されているが、印刷中や巻き戻し時に巻きが膨らんで正常な動作ができなくなる場合がある。このため、ロール紙の終端は巻き芯の周面に接着固定されており、印刷中や巻き戻し時に巻きが膨らんだときや、ロール紙ホルダから脱着する際に、ロール紙ホルダの回転ノブを手動もしくは自動にて回転させることによりロール紙を巻き戻すことが可能なようになっている。なお、ロール紙は、最終的には終端の接着固定部が巻き芯から剥離して最終端部まで印刷される。
【０００５】
【発明が解決しようとする課題】
上述したロール紙の巻き芯は、ロール紙ホルダに固定するためのものであり、ロール紙を終端まで使い切った後はゴミとして廃棄されている。このような巻き芯を有効利用することは省資源の観点からも望ましいことではあるが、現状では達成されていない。
【０００６】
本発明は、上記のような課題に鑑みなされたものであり、その目的は、巻き芯が無くてもロール状の記録媒体を保持することができるホルダ及びこのホルダを有する記録装置を提供することにある。
【０００７】
【課題を解決するための手段】
上記目的達成のため、本発明の請求項１に係る記録媒体のホルダは、巻回された記録媒体のみを回転自在に保持するホルダであって、巻回された前記記録媒体の終端を挟持する挟持手段を備えたことを特徴としている。上記目的達成のため、本発明の請求項２に係る記録媒体のホルダは、巻回された記録媒体の内周部に挿入され、当該記録媒体の内周面を保持する軸芯と、前記軸芯を回転自在に支持するカバーとを備えた記録媒体のホルダであって、巻回された前記記録媒体の終端を挟持する挟持手段が前記軸芯に配設されていることを特徴としている。これにより、従来必要であったロール状の記録媒体の巻き芯を不用とすることができるので、省資源化及び低コスト化を図ることができるとともに、巻き芯分の記録媒体を増加させたロール状の記録媒体を提供することができる。
【０００８】
請求項３に係る発明では、請求項２に記載の記録媒体のホルダにおいて、前記挟持手段は、略中央部を支点として揺動する揺動部材と、この揺動部材を一方の揺動方向へ付勢する付勢手段とを備え、前記付勢手段により付勢された前記揺動部材により、巻回された前記記録媒体の終端を挟持することを特徴としている。これにより、揺動部材を押圧及び押圧解除するのみで、巻回された記録媒体の終端を容易に挟持することが可能となる。
【０００９】
本発明の請求項４に係る記録装置では、請求項１〜３の何れか一項に記載の記録媒体のホルダを備えたことを特徴としている。これにより、上記各作用を奏する記録装置を提供することができる。
【００１０】
【発明の実施の形態】
以下、図面に基づいて本発明の実施の形態について詳細に説明する。
【００１１】
図１は、本発明の一実施の形態に係る記録装置の１つであるインクジェット式記録装置の外装構成の全体を斜め前方から見た斜視図である。このインクジェット式記録装置１００は、全体が幅方向に長く延びる略直方体状のハウジング１０１を備えている。このハウジング１０１の上部から前面にかけて形成されている窓部は、透明もしくは半透明な湾曲したカバー１１０によって覆われている。
【００１２】
そして、ハウジング１０１の上部右側には、操作部１２０等が配設され、ハウジング１０１の前部右側には、カードスロット部１３０等が配設されている。さらに、ハウジング１０１の後方側には、給紙口１４０等が配設され、ハウジング１０１の前方側には、排紙口１５０及び排紙スタッカ１６０等が配設されている。このインクジェット式記録装置１００は、不連続の用紙、すなわちカット紙の印刷と、連続した用紙、すなわちロール紙の印刷が可能となっている。
【００１３】
カバー１１０は、その上部の回動軸を中心に図１の矢印ａ方向に回動可能に取り付けられている。ユーザは、カバー１１０を持ち上げて窓部を開放することにより、窓部を通して後述するキャリッジ上に収納されるインクカートリッジの交換作業や内部機構のメンテナンス作業等を行うことができる。
【００１４】
操作部１２０は、パワーをオン・オフするパワー系のスイッチ１２１と、用紙の頭出し等を操作したり、インクのフラッシング等を操作する操作系のスイッチ１２２と、画像処理等を行う処理系のスイッチ１２３と、状態を表示する液晶パネル１２４等を備えている。
【００１５】
カードスロット部１３０は、ＰＣＭＣＩＡ　ＡＴＡ規格に準拠したメモリカードや、コンパクトフラッシュ、スマートメディア、メモリースティック、マイクロドライブ、ＳＤカード等を必要であればＰＣカード用アダプタを介して読み書きするメモリカードドライブを備えている。
【００１６】
給紙口１４０には、その後縁と両端縁を囲むようにガイド壁１４１、１４２、１４３が形成されている。ガイド壁１４１は、用紙の面をガイドし、ガイド壁１４２は、用紙の一方のサイドエッジをガイドする機能を有する。そして、用紙のサイズが異なっても確実に用紙をガイドすることができるように、用紙の他方のサイドエッジをガイドするエッジガイドが、給紙口１４０の両端縁に形成されているガイド壁１４２、１４３間を、後縁に形成されているガイド壁１４１に沿って移動可能なように装着されている。
【００１７】
排紙口１５０の近傍には、ロール紙を所定の長さに切断するカッタ２０（図２、図３参照）と、用紙を排出する排紙ローラ１９９（図２、図３参照）が用紙搬送方向に順に配設されている。カッタ２０は、長尺の固定刃とこの固定刃に沿って移動可能な移動刃とこの移動刃を移動させる無端駆動ベルトを備えている。ロール紙が切断位置に位置決めされると、無端駆動ベルトの駆動により移動刃がロール紙の幅方向に移動開始して固定刃と協働しながらロール紙を剪断するようになっている。
【００１８】
排紙スタッカ１６０は、基端側の回動軸を中心にハウジング１０１の前面に図１の矢印ｂ方向に回動可能に取り付けられた１段目のスタッカ部材１６１と、この１段目のスタッカ部材１６１に対し格納・引出自在に設けられた先端側の２段目のスタッカ部材１６２と、この２段目のスタッカ部材１６２に対し格納・引出自在に設けられた先端側の３段目のスタッカ部材１６３の３段で構成されている。
【００１９】
この排紙スタッカ１６０は、不使用時は２断目と３段目のスタッカ部材１６２、１６３が１断目と２段目のスタッカ部材１６１、１６２に押し込まれて格納されるとともに、起立方向に回動されて排紙口１５０を閉鎖するようになっている。また、使用時は倒伏方向に回動されて排紙口１５０を開放するとともに、２断目と３段目のスタッカ部材１６２、１６３が１断目と２段目のスタッカ部材１６１、１６２から引き出されて、排出される用紙を受けて載置するようになっている。なお、２断目と３段目のスタッカ部材１６２、１６３は、用紙の大きさにより格納された状態で、あるいは引き出された状態で使用可能となっている。
【００２０】
図２及び図３は、インクジェット式記録装置１００の内部構成例を示す断面側面図である。図２に示すように、カット紙Ｐを印刷する場合は給紙口１４０の背部にカット紙Ｐを保持するペーパーサポート１４４が取り付けられ、また、図３に示すように、ロール紙Ｒを印刷する場合は給紙口１４０の背部にロール紙Ｒを保持したロール紙ホルダ１０が取り付けられる。なお、ペーパーサポート１４４とロール紙ホルダ１０は、着脱可能に構成されており、何れか一方が取り付けられるようになっている。ペーパーサポート１４４は、カット紙Ｐの面を保持する機能を有し、給紙口１４０のガイド壁１４１に近接して斜め後方に突き出るように配設される。ロール紙ホルダ１０は、後で詳述するが、給紙口１４０の後方に着脱自在に取り付けられる。
【００２１】
そして、図２に示すように、給紙口１４０から差し込まれ、ホッパー１９１に積載された複数枚のカット紙Ｐは、給紙ローラ１９２の回転に伴うホッパー１９１の上昇により、分離パッド１９３で給紙ローラ１９２に押付けられて最上位のカット紙Ｐから１枚づつ分離され、ぺーパーガイド１９４に沿って紙送りローラ１９５に給送される。一方、図３に示すように、ロール紙ホルダ１０から引き出され、給紙口１４０から紙送りローラ１９５に差し込まれたロール紙Ｒは、紙送りローラ１９５とその従動ローラ１９５ａとで挟持される。
【００２２】
そして、図２に示すカット紙Ｐあるいは図３に示すロール紙Ｒは、紙送りローラ１９５とその従動ローラ１９５ａによりキャリッジ１９６の底部に搭載された記録ヘッド１９７側へ送り出されて印刷される。このとき、インクジェット式記録装置１００の制御部は、例えばイエロー、ライトイエロー、マゼンタ、ライトマゼンタ、シアン、ライトシアン、ブラックの計７色のインクカートリッジ１９８から記録ヘッド１９７へ各色インクを供給し、各色インクの吐出タイミング及びキャリッジ１９６や紙送りローラ１９５の駆動を制御して、高精度なインクドット制御、ハーフトーン処理等を実行する。最後に、カット紙Ｐは、排紙ローラ１９９とその従動ローラ１９９ａにより排紙口１５０から排紙され、またロール紙Ｒは、カッタ２０により所定長さに切断された後、排紙ローラ１９９とその従動ローラ１９９ａにより排紙口１５０から排紙される。
【００２３】
ここで、上述したインクジェット式記録装置１００に装着されるロール紙ホルダ１０は、一般的な内径２インチの巻き芯に巻回されたロール紙（以下、芯有りロール紙という）Ｒのみならず、巻き芯を持たないロール紙ＲＲ、すなわち単に連続紙を巻回したのみであって、終端は接着固定されていないロール紙（以下、芯無しロール紙という）ＲＲも使用可能になっている。以下に、このような芯有りロール紙Ｒの保持及び芯無しロール紙ＲＲの保持を兼用するロール紙ホルダ１０の詳細な構成を図を参照して説明する。
【００２４】
図４は、ロール紙ホルダ１０の詳細を示す分解斜視図、図５は、その主要部である軸芯の詳細を示す三面図である。このロール紙ホルダ１０は、芯有りロール紙Ｒの巻き芯を保持し、また芯無しロール紙ＲＲの内周面を保持する軸芯１１と、この軸芯１１を構成する操作部材２２を回転自在に支持し、装着された芯有りロール紙Ｒまたは芯無しロール紙ＲＲの外周面の一部を覆うことで芯有りロール紙Ｒまたは芯無しロール紙ＲＲの許容範囲を超える巻き解けを防止するカバー１２とを備えている。軸芯１１及びカバー１２は、それぞれ左右対称のものが２組用意されており、これらで芯有りロール紙Ｒまたは芯無しロール紙ＲＲを両側から狭持することで芯有りロール紙Ｒまたは芯無しロール紙ＲＲのホルダとして一体化される構成になっている。
【００２５】
軸芯１１は、二段構成の略円筒状の保持部材２１と操作部材２２を備えている。保持部材２１は、操作部材２２より大径に形成されており、芯有りロール紙Ｒの巻き芯の端部内周に挿入されることにより巻き芯を内側から保持する機能と、芯無しロール紙ＲＲの端部内周に挿入されることにより芯無しロール紙ＲＲ自体を内側から保持する機能を有している。また、操作部材２２は、保持部材２１より小径に形成されており、後述するカバー１２の軸受部１２ａによって遊嵌保持される機能と、ユーザによる回転操作により芯有りロール紙Ｒまたは芯無しロール紙ＲＲを巻き戻す機能を有している。
【００２６】
さらに、保持部材２１は、径方向の断面が略ｅ字状となるような軸方向に貫通する空間部２３、すなわち保持部材２１の外周部に形成されている軸方向に延びるスリット状の空間２３ａと、この空間２３ａと連通する保持部材２１の内部に形成されている略半円筒状の空間２３ｂとで成る空間部２３を備えている。そして、スリット状の空間２３ａを構成する保持部材２１の外周部に形成される軸方向の縁部２３ａａ、２３ａｂと、保持部材２１の端部に形成される径方向の縁部２３ａｃは、Ｒが付けられている。
【００２７】
一方、操作部材２２は、上記空間部２３と並んで形成されている径方向の断面が略ｃ字形状となるような軸方向に延びる切欠部２４を備えている。また、操作部材２２の周面には３個所にスリットが形成されており、各スリットの形成部位にはカバー１２との係合手段となる弾性係合片２２ａが形成されている。そして、芯無しロール紙ＲＲの終端を挟持するための挟持部材２５が、空間部２３から切欠部２４にかけて配設されている。
【００２８】
この挟持部材２５は、略矩形板状であって、一端が長手方向に湾曲した形状に形成され、他端が上記湾曲方向とは逆方向に折り曲げられた形状に形成されている。そして、湾曲部２５ａの凸側が空間部２３内においてスリット状の空間２３ａを構成する保持部材２１の内壁部２３ａｄと対峙し、折り曲げ部２５ｂが切欠部２４内に位置するように配設されている。
【００２９】
さらに、折り曲げ部２５ｂを径方向に押圧及び押圧解除することにより、湾曲部２５ａが径方向に揺動するように、挟持部材２５の略中央部には、略Ｃ字状に形成されたバネ２６が配設されているとともに、揺動支点となる突起部２７が形成されている。このバネ２６は、挟持部材２５に設けられた孔２５ｃを通って一端が挟持部材２５の外側面に係止され、他端が保持部材２１の内壁部２３ａｄに係止されている。また、突起部２７は、挟持部材２５の内側面に形成されており、先端が保持部材２１の内壁部２３ａｄに当接されている。
【００３０】
なお、バネ２６の弾性力は、芯無しロール紙ＲＲを使い切るときに終端が挟持部材２５の湾曲部２５ａと保持部材２１の内壁部２３ａｄとの間から確実に抜けるように設定される。また、挟持部材２５の湾曲部２５ａと保持部材２１の内壁部２３ａｄとの間に隙間を設け、芯無しロール紙ＲＲを使い切るときに終端が確実に抜けるように構成してもよい。
【００３１】
このような構成のロール紙ホルダ１０の軸芯１１に芯無しロール紙ＲＲの終端を挟持させる方法を図６を参照して説明する。先ず、図６（Ａ）に示すように、挟持部材２５の折り曲げ部２５ｂを径方向内側に押圧する。すると、図６（Ｂ）に示すように、挟持部材２５の突起部２７を揺動支点として、挟持部材２５の湾曲部２５ａが径方向外側へ揺動して保持部材２１の内壁部２３ａｄから離間する。
【００３２】
ここで、芯無しロール紙ＲＲの終端を挟持部材２５の湾曲部２５ａと保持部材２１の内壁部２３ａｄとの間隙に挿入する。このとき、保持部材２１の外周部に形成される軸方向の縁部２３ａａ、２３ａｂと、保持部材２１の端部に形成される径方向の縁部２３ａｃは、Ｒが付けられているので、挟持部材２５の湾曲部２５ａと保持部材２１の内壁部２３ａｄとの間隙に、芯無しロール紙ＲＲの終端を曲げること無く、容易かつ確実に挿入することができる。
【００３３】
最後に、図６（Ｃ）に示すように、挟持部材２５の折り曲げ部２５ｂに掛けていた押圧を解除すると、バネ２６の復元力により挟持部材２５の突起部２７を揺動支点として、挟持部材２５の湾曲部２５ａが径方向内側へ揺動して保持部材２１の内壁部２３ａｄとの間で芯無しロール紙ＲＲの終端を挟み込む。以上により、ロール紙ホルダ１０の軸芯１１に芯無しロール紙ＲＲの終端を挟持させることができる。そして、ユーザは、操作部材２２を回転させて芯無しロール紙ＲＲを巻き戻す。このとき、保持部材２１の外周部に形成される軸方向の縁部２３ａａ、２３ａｂは、Ｒが付けられているので、芯無しロール紙ＲＲの終端の変形を最小限に抑えることができ、芯無しロール紙ＲＲの終端まで高精度に印刷することができる。
【００３４】
カバー１２は、芯有りロール紙Ｒまたは芯無しロール紙ＲＲの幅方向端部の周面を覆う被覆部１２ｂと、その外方の端面の一部を閉塞する円環状の端部閉塞部１２ｃと、端部閉塞部１２ｃの内径端縁から内側に向けて張り出すように形成される円筒状の軸受部１２ａと、被覆部１２ｂの前面側下方に一例として形成される転がり防止台座１２ｄとを有している。
【００３５】
被覆部１２ｂの前面側上方の部位は一部切除されており、この部分は装着された芯有りロール紙Ｒまたは芯無しロール紙ＲＲを繰り出すための繰り出し開口部１２ｅとなっている。また、被覆部１２ｂの内周面は芯有りロール紙Ｒ側または芯無しロール紙ＲＲ側へ向って拡がるようにテーパ状に形成されており、これにより芯有りロール紙Ｒまたは芯無しロール紙ＲＲの端縁と被覆部１２ｂの内面とが線接触して、芯有りロール紙Ｒまたは芯無しロール紙ＲＲの回転時の摩擦抵抗が極力小さくなるようにしている。
【００３６】
端部閉塞部１２ｃの内径端縁付近には、軸芯１１における弾性係合片２２ａと係合する係合段差部１２ｆが形成されており、弾性係合片２２ａと係合段差部１２ｆとの係合によりカバー１２の外側方向への移動が制限されるようになっている。
【００３７】
また、軸受部１２ａの内径は軸芯１１における操作部材２２の外径より幾分大きめに設定されており、これにより芯有りロール紙Ｒまたは芯無しロール紙ＲＲの軸心の多少の揺れや傾きを許容して芯有りロール紙Ｒまたは芯無しロール紙ＲＲの送り出しを滑らかに行えるようにする作用と、軸芯１１とカバー１２との結合を容易にする作用を併せ持つ。尚、軸芯１１とカバー１２の材料は共に同じ材料、例えば硬質のプラスチック材料が適用できる。この場合、摩擦係数が同じであるため、軸受部１２ａに摺接する操作部材２２の回転は安定性を増すようになる。
【００３８】
転がり防止台座１２ｄは、被覆部１２ｂに形成されている繰り出し開口部１２ｅの下方から斜め下方に延びる取付傾斜面１２ｇと、この取付傾斜面１２ｇの下端と被覆部１２ｂの最下部とを水平に連結する実質的な転がり防止作用をする台座面１２ｈとを有している。そして、取付傾斜面１２ｇには、図７に示すようにインクジェット式記録装置１００の給紙口１４０の後方に形成されている係合溝１３、あるいは図８に示すような後付けアタッチメント１５に形成されている係合溝１５ａに係合し保持される係合爪１２ｉが形成されている。ここで、後付けアタッチメント１５は、例えばペーパーサポート取付用の被取付部を利用して取り付けられるように構成されており、これにより上記係合溝１３が無いタイプのインクジェット式記録装置にもロール紙ホルダ１０を適用することができる。
【００３９】
これらの係合溝１３、１５ａと係合爪１２ｉとの間にはカバー１２の取付位置を規制する左右誤装着防止機構が設けられている。すなわち、係合溝１３、１５ａにおける実質的な保持作用を行う保持作用部１３ａ、１５ｂに形成される位置決めスリット１３ｂ、１５ｃの位置と、係合爪１２ｉにおける保持鉤部１２ｊから垂直に立ち上がる位置決めリブ１２ｋの位置とを左右対称とせず、幾分左右いずれかに偏った位置に設定することにより、誤って左右を反対にして装着しようとした場合でも装着できないようになっている。
【００４０】
また、図８に示すように、位置決めスリット１５ｃは位置決めリブ１２ｋを受け入れる入口側において広く、奥部側において狭くなるように形成されており、これにより両者の係合状態は比較的寛容となり、芯有りロール紙Ｒまたは芯無しロール紙ＲＲの軸心の多少の揺れや傾きを許容して芯有りロール紙Ｒまたは芯無しロール紙ＲＲが滑らかに回転して確実に繰り出されるようになっている。
【００４１】
図９〜図１０は、ロール紙ホルダ１０の軸芯の別の形態を図５（ｂ）に対応させて示す断面側面図であり、同一構成個所は同一番号を付して説明を省略する。図９（Ａ）に示す軸芯３１は、図５（ｂ）に示す挟持部材２５を付勢している略Ｃ字状に形成されたバネ２６の代わりに、圧縮コイルバネ３６が用いられている点で異なる構成となっている。この圧縮コイルバネ３６は、挟持部材２５の内側面と保持部材２１の内壁部２３ａｄとの間に係止されて挟持部材２５を付勢している。
【００４２】
図９（Ｂ）に示す軸芯４１は、図５（ｂ）に示す挟持部材２５を付勢している略Ｃ字状に形成されたバネ２６の代わりに、引張コイルバネ４６を用いている点で異なる構成となっている。この引張コイルバネ４６は、挟持部材２５の外側面と保持部材２１の内壁部２３ａｄと対向する内壁部２３ａｅとの間に係止されて挟持部材２５を付勢している。
【００４３】
図１０（Ａ）及び（Ｂ）に示す軸芯５１、６１は、図５（ｂ）に示す挟持部材２５を付勢している略Ｃ字状に形成されたバネ２６の代わりに、略Ｖ字状に形成されたバネ５６、６６を用いている点で異なる構成となっている。バネ５６は、挟持部材２５の内側面と保持部材２１の内壁部２３ａｄとの間に係止されて挟持部材２５を付勢している。また、バネ６６は、挟持部材２５の外側面と保持部材２１の内壁部２３ａｄと対向する内壁部２３ａｅとの間に係止されて挟持部材２５を付勢している。
【００４４】
以上のような構成の軸芯３１、４１、５１、６１によっても、各バネ３６、４６、５６、６６の弾性力によって、折り曲げ部２５ｂを径方向に押圧及び押圧解除することにより、湾曲部２５ａを径方向に揺動させ、湾曲部２５ａと保持部材２１の内壁部２３ａｄとの間で芯無しロール紙ＲＲの終端を挟み込むることができる。
【００４５】
図１１（ａ）、（ｂ）は、ロール紙ホルダ１０の軸芯の別の形態を図５（ａ）、（ｂ）に対応させて示す平面図及び断面側面図であり、同一構成個所は同一番号を付して説明を省略する。図５（ａ）、（ｂ）に示す軸芯２１の挟持部材２５は、湾曲部２５ａと保持部材２１の内壁部２３ａｄとが線接触もしくは面接触しているが、図１１（ａ）、（ｂ）に示す軸芯７１の挟持部材７５は、湾曲部２５ａの内側面に凸部７５ａが形成されており、この凸部７５ａと保持部材２１の内壁部２３ａｄとが点接触するようになっている点で異なる構成となっている。このような構成の軸芯７１によっても、凸部７５ａと保持部材２１の内壁部２３ａｄとの間で芯無しロール紙ＲＲの終端を挟み込むることができる。なお、この軸芯７１には略Ｃ字状に形成されたバネ２６を用いているが、図９〜図１０に示す各バネ３６、４６、５６、６６を用いることも可能である。
【００４６】
なお、上述したロール紙ホルダ１０の保持部材２１は、スリット状の空間２３ａと略半円筒状の空間２３ｂとで成る空間部２３が形成されているので、円周方向に弾性変形し易くなっている。このため、保持部材２１の外径を芯有りロール紙Ｒの巻き芯の内径より若干大きく形成しておくことにより、巻き芯に挿入される保持部材２１は巻き芯の内周面をしっかりと保持することができるので、芯有りロール紙Ｒも上記ロール紙ホルダ１０に確実に装着することができる。
【００４７】
以上、本発明を種々の実施形態に関して述べたが、本発明は以上の実施形態に限られるものではなく、特許請求の範囲に記載された発明の範囲内で、他の実施形態についても適用されるのは勿論である。例えば、記録装置としてインクジェット式のプリンタを例に説明したが、これに限られるものではなく、ロール紙が使用可能な記録装置であれば、例えば熱転写式等のプリンタ、インクジェット式、熱転写式等のファクシミリ装置やコピー装置等にも適用可能である。
【００４８】
【発明の効果】
以上説明したように、本発明によれば、従来必要であったロール状の記録媒体の巻き芯を不用とすることができるので、省資源化及び低コスト化を図ることができる。また、巻き芯分の記録媒体を増加させたロール状の記録媒体を提供することができる。
【図面の簡単な説明】
【図１】本発明の一実施の形態に係る記録装置の１つであるインクジェット式記録装置の外装構成の全体を斜め前方から見た斜視図である。
【図２】図１のインクジェット式記録装置の内部構成例を示す第１の断面側面図である。
【図３】図１のインクジェット式記録装置の内部構成例を示す第２の断面側面図である。
【図４】図１のインクジェット式記録装置に使用可能なロール紙ホルダの詳細を示す分解斜視図である。
【図５】図４のロール紙ホルダの主要部である軸芯の詳細を示す三面図である。
【図６】図４のロール紙ホルダの軸芯に芯無しロール紙の終端を挟持させる方法を説明するための図である。
【図７】図４のロール紙ホルダの取付部位を示す斜視図である。
【図８】図４のロール紙ホルダの取付部位を示す別の斜視図である。
【図９】図４のロール紙ホルダの軸芯の別の形態を示す第１の断面側面図である。
【図１０】図４のロール紙ホルダの軸芯の別の形態を示す第２の断面側面図である。
【図１１】図４のロール紙ホルダの軸芯のさらに別の形態を示す平面図及び断面側面図である。
【符号の説明】
１０　　　　ロール紙ホルダ
１１　　　　軸芯
１２　　　　カバー
２１　　　　保持部材
２２　　　　操作部材
２３　　　　空間部
２４　　　　切欠部
２５　　　　挟持部材
２６　　　　バネ
２７　　　　突起部
１００　　　インクジェット式記録装置
１０１　　　ハウジング
１１０　　　カバー
１２０　　　操作部
１３０　　　カードスロット部
１４０　　　給紙口
１５０　　　排紙口
１６０　　　排紙スタッカ
１６１、１６２、１６３　スタッカ部材
１９９　　　排紙ローラ
【図１】
2004059284.tif 000003
【図２】
2004059284.tif 000004
【図３】
2004059284.tif 000005
【図４】
2004059284.tif 000006
【図５】
2004059284.tif 000007
【図６】
2004059284.tif 000008
【図７】
2004059284.tif 000009
【図８】
2004059284.tif 000010
【図９】
2004059284.tif 000011
【図１０】
2004059284.tif 000012
【図１１】
2004059284.tif 000013